(57)【要約】【課題】貯湯タンク内の湯水の加熱時に、貯湯タンク内の熱量の損失を少なくし得るように膨張水の排出を行うことができる即時出湯装置を提供する。【解決手段】貯湯タンク２１の下部寄りの部分に開口する流入側配管３０と、貯湯タンク２１の上部寄りの部分でに開口する流出側配管３１と、貯湯タンク２１と並列のバイパス配管３２とを有する即時出湯装置２０Ａには、バイパス比調整弁としての流量調整弁３３が流入側配管３０に組付けられ、膨張水排出装置３７が流量調整弁３３の下流側で流入側配管３０に接続されている。貯湯タンク２１内の湯水の加熱時に、流路調整弁３３を閉弁状態に制御する。【選択図】図１
2019138492.tif 000002
【特許請求の範囲】
【請求項１】
熱源機で加熱された湯水が該熱源機から給湯配管を介して供給されるように該給湯配管に接続された流入側配管と、
該流入側配管から湯水を供給され得るように該流入側配管に接続された貯湯タンクと、
該貯湯タンク内の湯水を出湯栓に供給し得るように該貯湯タンク及び出湯栓に接続され、前記流入側配管の、該貯湯タンクの内部に開口する開口端部よりも上側の位置で該貯湯タンクの内部に開口する開口端部を有する流出側配管と、
前記流入側配管から前記流出側配管に前記貯湯タンクを経由させずに湯水を流し得るように前記流入側配管と前記流出側配管との間に接続されたバイパス配管と、
前記貯湯タンク内の湯水を加熱する加熱装置と、
前記出湯栓の開栓状態で前記流入側配管から前記貯湯タンクを経由して前記流出側配管に流れる湯水の流量であるタンク側流量と、前記流入側配管から前記バイパス配管を通って前記流出側配管に流れる湯水の流量であるバイパス側流量との比率であるバイパス比を変化させ得るように前記流入側配管、前記流出側配管、及び前記バイパス配管のいずれかの配管に組付られたバイパス比調整弁と、
前記流入側配管、前記流出側配管、及び前記バイパス配管のいずれかの配管に接続されていると共にその接続対象の配管の内部に連通する排出路を有し、前記加熱装置による前記貯湯タンク内の湯水の加熱時に、該貯湯タンク内で膨張した湯水によって生じる膨張水の一部を前記排出路を介して排出する膨張水排出装置と、
前記バイパス比調整弁を制御する制御装置とを備えており、
前記バイパス比調整弁は、前記貯湯タンクから前記流出側配管を経由して前記膨張水排出装置に至る流路上に位置するように前記いずれかの配管に組付られていると共に、該バイパス比調整弁を所定の動作状態に制御したとき、前記流路を遮断するように構成されており、
前記制御装置は、前記加熱装置による前記貯湯タンクの湯水の加熱時に、前記バイパス比調整弁を前記所定の動作状態に制御するように構成されていることを特徴とする即時出湯装置。
【請求項２】
請求項１記載の即時出湯装置において、
前記バイパス比調整弁は、前記流入側配管から前記貯湯タンクに流入する湯水の流量を調整し得るように、該流入側配管の前記バイパス配管の接続部よりも下流側で該流入側配管に組付けられた流量調整弁であり、該流量調整弁の前記所定の動作状態は、該流量調整弁の閉弁状態であり、前記膨張水排出装置は、前記流量調整弁よりも下流側の前記流入側配管に接続されていることを特徴とする即時出湯装置。
【請求項３】
請求項１記載の即時出湯装置において、
前記バイパス比調整弁は、前記貯湯タンクから前記流出側配管に流出する湯水の流量を調整し得るように、該流出側配管の前記バイパス配管の接続部よりも上流側で該流出側配管に組付けられた流量調整弁であり、該流量調整弁の前記所定の動作状態は、該流量調整弁の閉弁状態であり、前記膨張水排出装置は、前記流入側配管、又は前記バイパス配管、又は前記流量調整弁よりも下流側の前記流出側配管に接続されていることを特徴とする即時出湯装置。
【請求項４】
請求項１記載の即時出湯装置において、
前記バイパス比調整弁は、前記流入側配管の、前記バイパス配管の接続部に設けられ、前記流入側配管の上流側から流入する湯水を、該流入側配管の下流側の前記貯湯タンクに供給する湯水と前記バイパス配管に供給する湯水とに分配可能であると共にその分配割合を可変的に制御可能な分配弁であり、該分配弁の前記所定の動作状態は、該分配弁の上流側の流入側配管から該分配弁の下流側の流入側配管への湯水の流通を遮断する動作状態であり、前記膨張水排出装置は、前記分配弁の下流側で前記流入側配管に接続されていることを特徴とする即時出湯装置。
【請求項５】
請求項１記載の即時出湯装置において、
前記バイパス比調整弁は、前記流出側配管の、前記バイパス配管の接続部に設けられ、該流出側配管の上流側の前記貯湯タンクから流入する湯水と、前記バイパス配管から流入する湯水とを混合して前記出湯栓に供給可能であると共にその混合割合を可変的に制御可能な混合弁であり、該混合弁の前記所定の動作状態は、該混合弁の上流側の流出側配管から該混合弁の下流側への湯水の流通を遮断する動作状態であり、前記膨張水排出装置は、前記流入側配管、又は前記バイパス配管に接続されていることを特徴とする即時出湯装置。
【発明の詳細な説明】
【技術分野】
【０００１】
本発明は、即時出湯装置に関する。
【背景技術】
【０００２】
従来、例えば特許文献１に見られるように、給湯器から供給される湯水を分配器により貯湯タンクとバイパス配管とに分配し、さらに、貯湯タンクから流出する加熱された湯水とバイパス配管に分配された湯水とを混合し、その混合後の湯水を出湯栓に供給することで、給湯器から供給される湯水の温度が低い場合でも、出湯栓から、より高い温度の湯を出湯させることを可能とした即時出湯装置（即湯装置）が知られている。
【０００３】
この特許文献１に見られるものでは、貯湯タンクから供給される湯水とバイパス配管から供給される湯水とを混合させた湯水を流す混合水配管に膨張水排出装置が接続されており、貯湯タンクでの加熱により膨張した湯水によって生じる膨張水の一部を膨張水排出装置により排出することができるようになっている。
【先行技術文献】
【特許文献】
【０００４】
【特許文献１】特開２０１７−５８０５７号公報
【発明の概要】
【発明が解決しようとする課題】
【０００５】
ところで、貯湯タンク内の湯水の加熱時において、加熱された湯水は、まず、貯湯タンクの上部寄り側に溜まりやすい。そして、特許文献１に見られる装置では、膨張水排出装置が接続された混合水配管は、貯湯タンクの上部に接続された出湯配管を介して貯湯タンクに接続されている。
【０００６】
このため、特許文献１にものでは、貯湯タンク内の湯水の加熱時に、貯湯タンクの上部寄り側に溜まる加熱された湯が、膨張水として膨張水排出装置により排出されやすい。従って、貯湯タンク内に貯えられた熱量が膨張水の排出によって損失しやすいという不都合がある。
【０００７】
本発明はかかる背景に鑑みてなされたものであり、貯湯タンク内の湯水の加熱時に、貯湯タンク内の熱量の損失を少なくし得るように膨張水の排出を行うことができる即時出湯装置を提供することを目的とする。
【課題を解決するための手段】
【０００８】
本発明の即時出湯装置は、上記の目的を達成するために、熱源機で加熱された湯水が該熱源機から給湯配管を介して供給されるように該給湯配管に接続された流入側配管と、
該流入側配管から湯水を供給され得るように該流入側配管に接続された貯湯タンクと、
該貯湯タンク内の湯水を出湯栓に供給し得るように該貯湯タンク及び出湯栓に接続され、前記流入側配管の、該貯湯タンクの内部に開口する開口端部よりも上側の位置で該貯湯タンクの内部に開口する開口端部を有する流出側配管と、
前記流入側配管から前記流出側配管に前記貯湯タンクを経由させずに湯水を流し得るように前記流入側配管と前記流出側配管との間に接続されたバイパス配管と、
前記貯湯タンク内の湯水を加熱する加熱装置と、
前記出湯栓の開栓状態で前記流入側配管から前記貯湯タンクを経由して前記流出側配管に流れる湯水の流量であるタンク側流量と、前記流入側配管から前記バイパス配管を通って前記流出側配管に流れる湯水の流量であるバイパス側流量との比率であるバイパス比を変化させ得るように前記流入側配管、前記流出側配管、及び前記バイパス配管のいずれかの配管に組付られたバイパス比調整弁と、
前記流入側配管、前記流出側配管、及び前記バイパス配管のいずれかの配管に接続されていると共にその接続対象の配管の内部に連通する排出路を有し、前記加熱装置による前記貯湯タンク内の湯水の加熱時に、該貯湯タンク内で膨張した湯水によって生じる膨張水の一部を前記排出路を介して排出する膨張水排出装置と、
前記バイパス比調整弁を制御する制御装置とを備えており、
前記バイパス比調整弁は、前記貯湯タンクから前記流出側配管を経由して前記膨張水排出装置に至る流路上に位置するように前記いずれかの配管に組付られていると共に、該バイパス比調整弁を所定の動作状態に制御したとき、前記流路を遮断するように構成されており、
前記制御装置は、前記加熱装置による前記貯湯タンクの湯水の加熱時に、前記バイパス比調整弁を前記所定の動作状態に制御するように構成されていることを特徴とする（第１発明）。
【０００９】
かかる第１発明によれば、前記バイパス比調整弁は、貯湯タンクから流出側配管を経由して膨張水排出装置に至る流路上に位置しており、前記加熱装置による貯湯タンクの湯水の加熱時には、前記所定の動作状態に制御される。従って、貯湯タンクの湯水の加熱時には、該貯湯タンクから流出側配管を経由して膨張水排出装置に至る流路が遮断された状態となる。また、前記流出側配管の開口端部は、流入側配管の開口端部よりも上側に位置している。このため、貯湯タンク内の湯水が加熱されることで体積が膨張し、この湯水の膨張によって、貯湯タンク及びこれに連通している流路の内部の圧力が上昇しても、貯湯タンク内の上部寄り側に溜まった加熱された湯（貯湯タンクの下部寄り側よりも高温の湯水）が前記流出側配管を通って、膨張水排出装置の排出路から排出されてしまうのが防止される。
【００１０】
一方、貯湯タンク内の湯水の加熱時に、貯湯タンクから流入側配管を経由して膨張水排出装置に至る流路は開放されており、また、前記流入側配管の開口端部は、流出側配管の開口端部よりも下側に位置している。このため、貯湯タンク内の湯水の加熱による膨張時には、主に、流入側配管内に残存する湯水や、貯湯タンク内の下部寄り側の湯水が、膨張水として、流入側配管を経由して、膨張水排出装置の排出路から排出される。これにより、貯湯タンク内の圧力が低減される。
【００１１】
この場合、流入側配管内の湯水は、前記加熱装置により加熱されていない湯水であり、貯湯タンク内の下部寄り側の湯水は、上部寄り側よりも低温になりやすい湯水である。そして、主に、これらの湯水が、膨張水として排出されるので、貯湯タンク内の熱量の損失が抑制される。
【００１２】
よって、第１発明によれば、貯湯タンク内の湯水の加熱時に、貯湯タンク内の熱量の損失を少なくし得るように膨張水の排出を行うことができる。
【００１３】
上記第１発明は、より具体的には、以下に説明する構成を採用し得る。例えば、前記バイパス比調整弁は、前記流入側配管から前記貯湯タンクに流入する湯水の流量を調整し得るように、該流入側配管の前記バイパス配管の接続部よりも下流側で該流入側配管に組付けられた流量調整弁であり、該流量調整弁の前記所定の動作状態は、該流量調整弁の閉弁状態であり、前記膨張水排出装置は、前記流量調整弁よりも下流側の前記流入側配管に接続されているという態様を採用し得る（第２発明）。
【００１４】
この第２発明では、前記流量調整弁の前記所定の動作状態（閉弁状態）では、貯湯タンクから流出側配管、バイパス配管及び流入側配管を経由して膨張水排出装置に至る流路が、流入側配管で流量調整弁により遮断される。そして、主に、流量調整弁の下流側の流入側配管に残存する湯水や、貯湯タンクの下部寄り側の湯水が、膨張水として、膨張水排出装置の排出路から排出される。
【００１５】
あるいは、前記バイパス比調整弁は、前記貯湯タンクから前記流出側配管に流出する湯水の流量を調整し得るように、該流出側配管の前記バイパス配管の接続部よりも上流側で該流出側配管に組付けられた流量調整弁であり、該流量調整弁の前記所定の動作状態は、該流量調整弁の閉弁状態であり、前記膨張水排出装置は、前記流入側配管、又は前記バイパス配管、又は前記流量調整弁よりも下流側の前記流出側配管に接続されているという態様を採用し得る（第３発明）。
【００１６】
この第３発明では、前記流量調整弁の前記所定の動作状態（閉弁状態）では、貯湯タンクから流出側配管、バイパス配管及び流入側配管を経由して膨張水排出装置に至る流路、あるいは、貯湯タンクから流出側配管及びバイパス配管を経由して膨張水排出装置に至る流路、あるいは、貯湯タンクから流出側配管を通って膨張水排出装置に至る流路が、流出側配管で流量調整弁により遮断される。そして、貯湯タンク内の湯水の加熱による膨張時には、主に、流量調整弁の下流側の流出側配管、並びに、これに連通するバイパス配管及び流入側配管に残存する湯水や、貯湯タンクの下部寄り側の湯水が、膨張水として、膨張水排出装置の排出路から排出される。
【００１７】
また、前記バイパス比調整弁は、前記流入側配管の、前記バイパス配管の接続部に設けられ、前記流入側配管の上流側から流入する湯水を、該流入側配管の下流側の前記貯湯タンクに供給する湯水と前記バイパス配管に供給する湯水とに分配可能であると共にその分配割合を可変的に制御可能な分配弁であり、該分配弁の前記所定の動作状態は、該分配弁の上流側の流入側配管から該分配弁の下流側の流入側配管への湯水の流通を遮断する動作状態であり、前記膨張水排出装置は、前記分配弁の下流側で前記流入側配管に接続されているという態様を採用することもできる（第４発明）。
【００１８】
この第４発明では、前記分配弁の前記所定の動作状態では、貯湯タンクから流出側配管、バイパス配管及び流入側配管を経由して膨張水排出装置に至る流路が、バイパス配管及び流入側配管を接続する分配弁で遮断される。そして、貯湯タンク内の湯水の加熱による膨張時には、主に、分配弁の下流側の流入側配管に残存する湯水や、貯湯タンクの下部寄り側の湯水が、膨張水として、膨張水排出装置の排出路から排出される。
【００１９】
また、前記バイパス比調整弁は、前記流出側配管の、前記バイパス配管の接続部に設けられ、該流出側配管の上流側の前記貯湯タンクから流入する湯水と、前記バイパス配管から流入する湯水とを混合して前記出湯栓に供給可能であると共にその混合割合を可変的に制御可能な混合弁であり、該混合弁の前記所定の動作状態は、該混合弁の上流側の流出側配管から該混合弁の下流側への湯水の流通を遮断する動作状態であり、前記膨張水排出装置は、前記流入側配管、又は前記バイパス配管に接続されているという態様を採用することもできる（第５発明）。
【００２０】
この第５発明では、前記混合弁の前記所定の動作状態では、貯湯タンクから流出側配管、バイパス配管及び流入側配管を経由して膨張水排出装置に至る流路、あるいは、貯湯タンクから流出側配管及びバイパス配管を経由して膨張水排出装置に至る流路が、バイパス配管及び流出側配管を接続する混合弁で遮断される。そして、貯湯タンク内の湯水の加熱による膨張時には、主に、流入側配管及びバイパス配管に残存する湯水や、貯湯タンクの下部寄り側の湯水が、膨張水として、膨張水排出装置の排出路から排出される。
【図面の簡単な説明】
【００２１】
【図１】本発明の第１実施形態における即時出湯装置を含むシステムの全体構成を示す図。
【図２】実施形態の即時出湯装置の制御に係る構成を示すブロック図。
【図３】本発明の第２実施形態における即時出湯装置を含むシステムの全体構成を示す図。
【図４】本発明の第３実施形態における即時出湯装置を含むシステムの全体構成を示す図。
【図５】本発明の第４実施形態における即時出湯装置を含むシステムの全体構成を示す図。
【図６】本発明の第５実施形態における即時出湯装置を含むシステムの全体構成を示す図。
【発明を実施するための形態】
【００２２】
［第１実施形態］
本発明の第１実施形態を図１及び図２を参照して以下に説明する。図１を参照して、本実施形態の即時出湯装置２０Ａは、給湯運転を実行可能な給湯器３が備えられた任意の住戸において、給湯対象の任意の一つの出湯栓１における即時出湯を行い得るように設置された装置である。
【００２３】
出湯栓１は、例えば台所、洗面所、あるいは浴室等に配置される出湯栓である。なお、図１では、出湯栓１を蛇口（カラン）として記載しているが、該出湯栓１は、蛇口に限らず、例えばシャワー、あるいは、シャワーと蛇口との複合体等であってもよい。
【００２４】
給湯器３は、その本体部としての熱源機４を備える。該熱源機４は、例えば、図示を省略するバーナ及び熱交換器を内蔵する燃焼式の熱源機であり、水道水等の給湯用水を熱源機４に導入する給水配管５と、熱源機４内でバーナの燃焼熱により加熱した給湯用水（湯）を、出湯栓１を含む各給湯対象部に供給する給湯配管６とが接続されている。なお、上記バーナの燃料は、気体燃料、あるいは、灯油等の液体燃料のいずれでもよい。
【００２５】
給湯配管６は、熱源機４から導出され、その下流部分（出湯栓１に至る下流部分）が即時出湯装置２０Ａを介して出湯栓１に接続されている。なお、給湯配管６には、出湯栓１以外の他の出湯栓も接続され得る。
【００２６】
給湯器３はさらに、熱源機４の作動制御を行うコントローラ８と、給湯器３の運転操作用のリモコン９とを備える。リモコン９は、台所や浴室等に配置され、コントローラ８と有線通信（又は無線通信）を行うことが可能である。このリモコン９を操作することによって、給湯器３の起動又は運転停止をコントローラ８に指令したり、熱源機４から出湯栓１を含む各給湯対象部に供給する湯の温度（給湯温度）の目標値の設定等を行うことが可能である。
【００２７】
なお、図１では単一のリモコン９だけを図示したが、給湯器３は、リモコン９以外の他の一つ以上のリモコンをさらに備え得る。
【００２８】
コントローラ８（以降、給湯コントローラ８という）は、例えば、マイコン、メモリ、インターフェース回路等を含む一つ以上の電子回路ユニットにより構成され、熱源機４に搭載されている。そして、給湯コントローラ８は、実装されたハードウェア構成及びプログラム（ソフトウェア構成）により、給湯運転に係る熱源機４の作動制御を行う。
【００２９】
具体的には、出湯栓１等のいずれかの出湯栓の開栓により、給水配管５での通水が開始されると、給湯コントローラ８は、該通水の開始を、図示しない水流スイッチもしくは流量センサ等のセンサを介して検知し、その検知に応じて、熱源機４のバーナの燃焼運転を開始させる。これにより、給水配管５から熱源機４に導入される給湯用水が、バーナの燃焼熱により熱交換器を介して加熱され、その加熱後の給湯用水（湯）が、開栓された出湯栓に熱源機４から給湯配管６を介して供給される。
【００３０】
そして、給湯コントローラ８は、開栓された出湯栓への実際の給湯温度が、リモコン９で設定された目標値（以降、給湯目標温度という）に一致もしくはほぼ一致するようにバーナの燃焼量を制御する。
【００３１】
補足すると、給湯器３の熱源機４は燃焼式の熱源機に限らず、バーナの代わりに、もしくは、バーナに加えて、電気式の発熱部（ヒートポンプ方式のものを含む）を備える熱源機であってもよい。また、給湯器３は、給湯運転だけでなく、浴槽への湯はり等の風呂運転、あるいは、浴室暖房装置等の温水式暖房装置に温水を供給する運転等を行い得るように構成されていてもよい。
【００３２】
即時出湯装置２０Ａは、熱源機４から出湯栓１に至る湯水の流路上で、熱源機４よりも出湯栓１に十分に近い位置（出湯栓１寄りの位置）に設置されている。この即時出湯装置２０Ａは、貯湯タンク２１と、給湯配管６の下流端に接続された流入側配管３０と、出湯栓１に接続された流出側配管３１とを備える。
【００３３】
流入側配管３０の下流端は、給湯配管６から流入側配管３０に流入する湯水（即時出湯装置２０Ａに入水する湯水）を貯湯タンク２１に供給し得るように、貯湯タンク２１の下部寄りの部分、例えば下端部に接続されている。この場合、流入側配管３０の下流端に形成された開口端部３０ｃが、貯湯タンク２１の内部に開口している。なお、流入側配管３０の下流端（開口端部３０ｃ）は、後述する流出側配管３１の開口端部３１ｃの下側（好ましくは、後述するヒータ２２の下側）で、貯湯タンク２１の側面部に接続されていてもよい。
【００３４】
また、流出側配管３１の上流側部分は、貯湯タンク２１内の湯水を出湯栓１に供給し得るように、貯湯タンク２１内に導入されている。この場合、流出側配管３１の上流端に形成された開口端部３１ｃが、貯湯タンク２１の上部寄りの部分にて（ひいては、流入側配管３０の開口端部３０ｃよりも上側で）該貯湯タンク２１内に開口している。なお、流出側配管３１の上流端（開口端部３１ｃ）は、貯湯タンク２１の上部寄りの部分に接続されていてもよい。
【００３５】
貯湯タンク２１の内部には、該貯湯タンク２１内の湯水を加熱するための加熱装置としての電気式のヒータ２２と、流入側配管３０から貯湯タンク２１内に流入する湯水を整流する整流板２３とが組み込まれている。ヒータ２２は、本実施形態では、例えば、流入側配管３０の開口端部３０ｃの上側、且つ、流出側配管３１の開口端部３１ｃの下側に配置されている。なお、ヒータ２２は、例えば、貯湯タンク２１の側面部に装着されていてもよい。また、ヒータ２２は、例えば、貯湯タンク２２の内部又は側面部で上下に延在するように設けられていてもよい。
【００３６】
また、貯湯タンク２１の外周部には、貯湯タンク２１内の湯水の温度（以降、貯湯温度Ｔtkという）を検出する温度センサ２４と、貯湯タンク２１が過剰に高温の過熱状態になったときに、ヒータ２２ヘの電力供給を強制的に遮断する過熱防止用サーモスタット２５と、貯湯タンク２１の保温性を高めるために該貯湯タンク２１の上部を被覆する断熱材２６とが装着されている。
【００３７】
流入側配管３０の途中部３０ａと流出側配管３１の途中部３１ａとの間には、流入側配管３０から貯湯タンク２１を経由させずに流出側配管３１に湯水を流す流路を形成するバイパス配管３２が貯湯タンク２１と並列に接続されている。
【００３８】
そして、流入側配管３０のうち、上記途中部３０ａ（バイパス配管３２の接続部）よりも下流側の部分には、該途中部３０ａから貯湯タンク２１に流入する湯水の流量（以降、タンク側流量という）と該途中部３０ａからバイパス配管３２に流入する湯水の流量（以降、バイパス側流量という）との比率であるバイパス比を変化させるバイパス比調整装置として機能する流量調整弁３３が介装されている。
【００３９】
この流量調整弁３３は、その開度を全閉状態と全開状態との間で変化させ得る電磁比例弁、あるいは、電動式のサーボ弁等により構成され、該流量調整弁３３の開度を変化させることによって、バイパス比を変化させることが可能となっている。
【００４０】
流入側配管３０の途中部３０ａよりも上流側の部分には、給湯配管６から供給される湯水の温度（以降、入水温度Ｔinという）を検出する温度センサ３４と、給湯配管６から供給される湯水の流量（以降、入水流量Ｗinという）を検出する流量センサ３５と、図示を省略する減圧弁及び逆止弁により構成される弁機構３６とが組み付けられている。
【００４１】
流入側配管３０の流量調整弁３３よりも下流側の部分には、貯湯タンク２１内で加熱により膨張した湯水によって生じる膨張水の一部を排出するための膨張水排出装置３７が接続されている。該膨張水排出装置３７は、流入側配管３０の内部に連通する（ひいては、該流入側配管３０を介して貯湯タンク２１の内部に連通する）排出路３７ａと、貯湯タンク２１内の湯水の圧力が所定値以上の圧力に上昇すると開弁する過圧逃し弁３７ｂとを有し、該過圧逃し弁３７ｂが排出路３７ａに介装されている。
【００４２】
流出側配管３１の途中部３１ａ（バイパス配管３２の接続部）よりも上流側の部分には、貯湯タンク２１から流出側配管３１に流出する湯の温度（以降、タンク流出温度Ｔtoutという）を検出する温度センサ３９が組み付けられている。また、流出側配管３１の途中部３１ａよりも下流側の部分には、該途中部３１ａから出湯栓１に供給されて該出湯栓１から出湯する湯水の温度（以降、出湯温度Ｔoutという）を検出する温度センサ４０が組み付けられている。なお、流出側配管３１の途中部３１ａは、バイパス配管３２を通過した湯水と、貯湯タンク２１から流出側配管３１に流出した湯水とが混合される部分であり、以降、混合部３１ａという。
【００４３】
流出側配管３１の途中部（図示例では、上記混合部３１ａ）には、即時出湯装置２０Ａのメンテナンス時、あるいは不使用時等に、貯湯タンク２１内の湯水等の水抜きを行うための水抜き用配管４１が接続されている。該水抜き用配管４１の下流端部には、手動で開閉可能な水抜き栓４２が装着されている。
【００４４】
即時出湯装置２０Ａは、さらに、貯湯タンク２１のヒータ２２及び流量調整弁３３の作動制御を行うコントローラ４５（以降、即時出湯コントローラ４５という）と、即時出湯装置２０Ａの電源のオン・オフ操作、該即時出湯装置２０Ａの動作条件の設定操作等を行うための操作部５０とを備える。
【００４５】
操作部５０には、図示しない操作スイッチ、表示部等が備えられている。即時出湯コントローラ４５は、本発明における制御装置に相当するものであり、マイコン、メモリ、インターフェース回路等を含む一つ以上の電子回路ユニットにより構成され、図２に示すように、操作部５０の操作信号が入力されると共に、前記温度センサ２４，３４，３９，４０及び流量センサ３５の検出信号が入力される。
【００４６】
また、本実施形態では、即時出湯コントローラ４５は、前記給湯コントローラ８と有線通信（又は無線通信）を行うことが可能であり、この通信により、リモコン９により設定された給湯目標温度を示す情報等を取得することが可能である。
【００４７】
そして、即時出湯コントローラ４５は、実装されたハードウェア構成及びプログラムにより実現される機能によって、流量調整弁３３及びヒータ２２の作動制御を行う。
【００４８】
なお、図２における分配弁５１は、後述する第４実施形態におけるバイパス比調整弁であり、混合弁５２は、後述する第５実施形態におけるバイパス比調整弁である。
【００４９】
次に、本実施形態の即時出湯装置２０Ａの作動を説明する。即時出湯コントローラ４５は、温度センサ２４の検出信号により示される貯湯温度Ｔtkの検出値が所定温度よりも低い場合に、該貯湯温度Ｔtkを、その目標値である目標貯湯温度Ｔtk_cmdまで昇温させるように貯湯タンク２１内の湯水を沸き上げ、さらに、貯湯温度Ｔtkを目標貯湯温度Ｔtk_cmdに一致もしくはほぼ一致する温度に維持する（保温する）ようにヒータ２２を作動させる。
【００５０】
より具体的には、即時出湯コントローラ４５は、例えば、出湯栓１の開栓直後の所定期間で、出湯温度Ｔoutの所定の目標値としての即時出湯目標温度Ｔout_cmdに一致もしくはほぼ一致する温度の湯を出湯栓１に継続的に供給することが可能となる熱量を貯湯タンク２１内の湯水に蓄熱させるように、所定の演算式等により目標貯湯温度Ｔtk_cmdを算出する。
【００５１】
この場合、上記即時出湯目標温度Ｔout_cmdとしては、例えば、給湯器３で設定されている給湯目標温度、あるいは、操作部５０の操作によってあらかじめ設定された値、あるいは、給湯器３で設定可能な給湯目標温度の可能範囲の最小値等を採用し得る。
【００５２】
また、上記所定期間としては、出湯栓１の開栓後（即時出湯装置２０Ａへの入水の開始後）、前記温度センサ３４により検出される温度が所定温度以上の温度に昇温するまでの期間、あるいは、出湯栓１の開栓後（即時出湯装置２０Ａへの入水の開始後）、所定時間が経過するまでの期間、あるいは、出湯栓１の開栓後（即時出湯装置２０Ａへの入水の開始後）、即時出湯装置２０Ａに入水する湯水の総量が所定値に達するまでの期間等を採用し得る。
【００５３】
そして、即時出湯コントローラ４５は、上記の如く決定した目標貯湯温度Ｔtk_cmdに貯湯タンク２１内の実際の貯湯温度Ｔtkを一致もしくはほぼ一致させるようにヒータ２２を制御する。
【００５４】
より具体的には、即時出湯コントローラ４５は、出湯栓１への通水（即時出湯装置２０Ａへの入水）が行われておらず、且つ、温度センサ２４による貯湯温度Ｔtkの検出値が目標貯湯温度Ｔtk_cmdよりも所定値以上低い場合に、ヒータ２２の発熱運転を開始させることで、貯湯温度Ｔtkを目標貯湯温度Ｔtk_cmdまで昇温させる（貯湯タンク２１内の湯水を沸き上げる）。
【００５５】
その後、即時出湯コントローラ４５は、出湯栓１の開栓に応じた即時出湯装置２０Ａへの入水が開始されるまで、貯湯温度Ｔtkを目標貯湯温度Ｔtk_cmdに一致もしくはほぼ一致する温度に保温するように、ヒータ２２の発熱運転及び作動停止を交互に繰り返す。
【００５６】
また、即時出湯コントローラ４５は、出湯栓１への通水が行われていない状態でのヒータ２２の作動時（発熱運転時）には、流量調整弁３３を閉弁状態に制御する。
【００５７】
ここで、ヒータ２２の発熱運転による貯湯タンク２１内の湯水の加熱時において、貯湯タンク２１内の湯水が昇温により膨張するため、該貯湯タンク２１及びこれに連通する流路（具体的には、流入側配管３０、流出側配管３１、バイパス配管３２、膨張水排出装置３７の過圧逃し弁３７ｂの上流側の排出路３７ａ）の内部の圧力が上昇する。そして、該圧力が所定値を超えると、過圧逃し弁３７ｂが開弁する。
【００５８】
この場合、本実施形態では、バイパス比調整装置としての流量調整弁３３を閉弁した状態で、ヒータ２２の発熱運転が行われるため、過圧逃し弁３７ｂが開弁すると、該過圧逃し弁３７ｂの上流側の排出路３７ａ、及び流量調整弁３３の下流側の流入側配管３０に残存する湯水、及び貯湯タンク２１の下部寄りの部分の湯水が、その圧力低下に応じた過圧逃し弁３７ｂの閉弁時まで、該過圧逃し弁３７ｂに近いものから、膨張水として排出路３７ａから排出される。
【００５９】
さらに詳細には、本実施形態では、膨張水排出装置３７は、流量調整弁３３の下流側で流入側配管３０に組付けられている。また、流出側配管３１の開口端部３１ｃは、貯湯タンク２１の上部寄りの部分（ひいては、流入側配管３０の開口端部３０ｃの上側）で貯湯タンク２１内に開口している。加えて、本実施形態では、ヒータ２２は、流出側配管３１の開口端部３１ｃの下側で、且つ、流入側配管３０の開口端部３０ｃの上側に配置されている。
【００６０】
このため、出湯栓１への通水が行われていない状況において、仮に、流量調整弁３３を開弁した状態で、貯湯タンク２１内の湯水をヒータ２２により加熱した場合には、貯湯タンク２１の上部寄りの部分から前記流出側配管３１、バイパス配管３２を経由して膨張水排出装置３７に至る流路が開通した状態になっているため、貯湯タンク２１内の湯水のうち、貯湯タンク２１の上部寄り側に溜まりやすい昇温した湯水や、流出側配管３１内の開口端部３１ｃの近辺の昇温した湯水が、膨張水として、流出側配管３１を経由して排出路３７ａに流れ込んで排出されるという現象が発生しやすい。
【００６１】
しかるに本実施形態では、ヒータ２２の発熱運転時に、流量調整弁３３が閉弁された状態になるので、貯湯タンク２１から流出側配管３１を通って、膨張水排出装置３７の排出路３７ａに至る流路が流量調整弁３３により遮断された状態となる。
【００６２】
このため、過圧逃し弁３７ｂの上流側の排出路３７ａ、及び流量調整弁３３の下流側の流入側配管３０に残存する湯水（ヒータ２２により加熱されていない湯水）や、貯湯タンク２１内の上部寄り側よりも相対的に温度が低いものとなりやすい下部寄り側の湯水が、上記の如く、過圧逃し弁３７ｂに近いものから、膨張水として排出路３７ａから排出される。
【００６３】
次に、即時出湯装置２０Ａの出湯運転時（出湯栓１からの出湯を行う運転時）の作動を説明する。出湯栓１の開栓に応じた即時出湯装置２０Ａへの入水（所定流量以上の入水）が行われると、即時出湯コントローラ４５は、当該入水を流量センサ３５の検出信号に基づいて検知する。
【００６４】
このとき、即時出湯コントローラ４５は、温度センサ３４，３９，４０のそれぞれによる入水温度Ｔin、タンク流出温度Ｔtout及び出湯温度Ｔoutのそれぞれの検出値と、流量センサ３５による入水流量Ｗinの検出値と、即時出湯目標温度Ｔout_cmdとを用いて、出湯温度Ｔoutを即時出湯目標温度Ｔout_cmdに一致もしくはほぼ一致させ得るように、前記バイパス比の目標値である目標バイパス比を所定の演算式により逐次決定する。
【００６５】
この場合、即時出湯目標温度Ｔout_cmdは、基本的には、目標貯湯温度Ｔtk_cmdを算出するときに使用した値と同じでよいが、貯湯タンク２１内の湯水の沸き上げの完了前に出湯栓１での出湯が開始された場合には、目標貯湯温度Ｔtk_cmdを算出するときに使用した値よりも、低い温度を即時出湯目標温度Ｔout_cmdとして用いてもよい。
【００６６】
そして、即時出湯コントローラ４５は、決定した目標バイパス比に応じて流量調整弁３３の開度を制御する。これにより、出湯栓１の開栓直後に、即時出湯目標温度Ｔout_cmdに一致もしくはほぼ一致する温度の湯水が出湯栓１から出湯される。その後、熱源機４で加熱された湯が即時出湯装置２０Ａに入水するようになると、該加熱状態の湯が出湯栓１から出湯される。本実施形態では、即時出湯装置２０Ａの出湯運転は、以上の如く行われる。
【００６７】
かかる本実施形態では、貯湯タンク２１内の湯水の加熱時に、前記した如く、貯湯タンク２１から流出側配管３１を通って膨張水排出装置３７に至る流路が閉弁状態の流量調整弁３３より遮断された状態で、過圧逃し弁３７ｂの上流側の排出路３７ａ、及び流量調整弁３３の下流側の流入側配管３０に残存する湯水（ヒータ２２により加熱されていない湯水）や、貯湯タンク２１内の上部寄り側よりも相対的に温度が低いものとなりやすい下部寄り側の湯水が、膨張水として排出路３７ａから排出される。従って、貯湯タンク２１内の湯水の加熱時に、貯湯タンク２１内の上部寄りの部分の加熱された湯水が膨張水として排出されるのが防止される。このため、貯湯タンク２１内の熱量の損失を極力抑制することができる。ひいては、貯湯タンク２１内の湯水を加熱を効率よく行うことができる。
【００６８】
さらに、本実施形態では、流出側配管３１内に残存する加熱後の湯水が膨張水として排出されるのも防止される。このため、ヒータ２２により加熱された湯水に蓄熱された熱量の利用効率を高めることができる。
【００６９】
また、本実施形態では、バイパス比調整装置としての流量調整弁３３が流入側配管３０に組付けられているので、流入側配管３０は常時、バイパス配管３２を介して流出側配管３１に連通されている。このため、仮に、流量調整弁３３の故障等により、該流量調整弁３３が全開状態に保持されてしまうという不具合が発生しても、貯湯タンク２１から流出側配管３１に流出する湯水と、流入側配管３０からバイパス配管３２を経由して流れる湯水とが混合部３１ａで混合された上で、その混合後の湯水が出湯栓１に供給される。
【００７０】
このため、貯湯タンク２１内の湯水の沸き上げ温度を高くしても、出湯栓１から出湯される湯水の温度を貯湯タンク２１内の湯水の温度よりも低い温度にすることができる。
【００７１】
［第２実施形態］
次に、本発明の第２実施形態を図３を参照して説明する。なお、本実施形態は、第１実施形態と一部の構成だけが相違するので、第１実施形態と同一の事項については説明を省略する。
【００７２】
図３を参照して、本実施形態の即時出湯装置２０Ｂでは、バイパス比調整弁としての流量調整弁３３は、流入側配管３０ではなく、混合部３１ａの上流側で流出側配管３１に組付けられている。すなわち、本実施形態では、貯湯タンク２１から流出側配管３１及びバイパス配管３２を経由して膨張水排出装置３７に至る流路のうちの流出側配管３１に流量調整弁３３が組み付けられている。
【００７３】
これ以外は、本実施形態の即時出湯装置２０Ｂの構成は、第１実施形態の即時出湯装置２０Ａと同じである。また、本実施形態では流量調整弁３３及びヒータ２２の作動制御も第１実施形態と同様に行われる。
【００７４】
かかる本実施形態では、貯湯タンク２１内の湯水の加熱時に、流量調整弁３３が閉弁状態に制御されるため、主に、過圧逃し弁３７ｂの上流側の排出路３７ａ、流入側配管３０、バイパス配管３２に残存する湯水や、貯湯タンク２１内の上部寄り側よりも相対的に温度が低いものとなりやすい下部寄り側の湯水が、膨張水として排出路３７ａから排出される。従って、第１実施形態と同様に、貯湯タンク２１内の湯水の加熱時に、貯湯タンク２１内の上部寄りの部分の加熱された湯水が膨張水として排出されるのが防止されるため、貯湯タンク２１内の熱量の損失を極力抑制することができる。ひいては、貯湯タンク２１内の湯水を加熱を効率よく行うことができる。
【００７５】
また、仮に、流量調整弁３３の故障等により、該流量調整弁３３が全開状態に保持されてしまうという不具合が発生しても、貯湯タンク２１から流出側配管３１に流出する湯水と、流入側配管３０からバイパス配管３２を経由して流れる湯水とが混合部３１ａで混合された上で、その混合後の湯水が出湯栓１に供給されるので、貯湯タンク２１内の湯水の沸き上げ温度を高くしても、出湯栓１から出湯される湯水の温度を貯湯タンク２１内の湯水の温度よりも低い温度にすることができる。
【００７６】
なお、本実施形態では、膨張水排出装置３７は、例えば、図３に３７（１）の参照符号を付した二点鎖線で例示するように、流入側配管３０の途中部３０ａ（バイパス配管３２の接続部）よりも上流側の部分に接続されていてもよい。あるいは、膨張水排出装置３７は、例えば、図３に３７（２）の参照符号を付した二点鎖線で例示するように、バイパス配管３２に接続されていてもよい。あるいは、膨張水排出装置３７は、例えば、図３に３７（３）の参照符号を付した二点鎖線で例示するように、流量調整弁３３の下流側で流出側配管３１に接続されていてもよい。
【００７７】
ただし、ヒータ２２による貯湯タンク２１内の湯水の加熱時に、流量調整弁３３の下流側の流出側配管３１に残存する湯水（加熱後の湯水）が膨張水として排出されるのを極力防止する上では、膨張水排出装置３７を、図３に参照符号３７（３）で示す如く備えるよりも、図３に参照符号３７，３７（１），３７（２）で示す如く備えることが好ましい。
【００７８】
［第３実施形態］
次に、本発明の第３実施形態を図４を参照して説明する。なお、本実施形態は、第１実施形態と一部の構成だけが相違するので、第１実施形態と同一の事項については説明を省略する。
【００７９】
図４を参照して、本実施形態の即時出湯装置２０Ｃでは、バイパス比調整弁としての流量調整弁３３は、流入側配管３０ではなく、バイパス配管３２に組付けられている。すなわち、本実施形態では、貯湯タンク２１から流出側配管３１及びバイパス配管３２を経由して膨張水排出装置３７に至る流量のうちのバイパス配管３２に流量調整弁３３が組み付けられている。
【００８０】
これ以外は、本実施形態の即時出湯装置２０Ｃの構成は、第１実施形態の即時出湯装置２０Ａと同じである。また、本実施形態では流量調整弁３３及びヒータ２２の作動制御も第１実施形態と同様に行われる。
【００８１】
かかる本実施形態では、貯湯タンク２１内の湯水の加熱時に、流量調整弁３３が閉弁状態に制御されるため、過圧逃し弁３７ｂの上流側の排出路３７ａ、流量調整弁３３の上流側のバイパス配管３２、及び流入側配管３０に残存する湯水や、貯湯タンク２１内の上部寄り側よりも相対的に温度が低いものとなりやすい下部寄り側の湯水が、過圧逃し弁３７ｂに近いものから、膨張水として排出路３７ａから排出される。従って、第１実施形態と同様に、貯湯タンク２１内の加熱時に、貯湯タンク２１内の上部寄りの部分の加熱された湯水が膨張水として排出されるのが防止されるため、貯湯タンク２１内の熱量の損失を極力抑制することができる。また、流出側配管３１内に残存する加熱後の湯水が膨張水として排出されるのも防止されるため、ヒータ２２により加熱された湯水に蓄熱された熱量の利用効率を高めることができる。
【００８２】
なお、本実施形態では、膨張水排出装置３７は、例えば、図４に３７（１）の参照符号を付した二点鎖線で例示するように、流入側配管３０の途中部３０ａ（バイパス配管３２の接続部）よりも上流側の部分に接続されていてもよい。あるいは、膨張水排出装置３７は、流入側配管３０の途中部３０ａに接続されていてもよい。あるいは、膨張水排出装置３７は、例えば、図４に３７（２）の参照符号を付した二点鎖線で例示するように、流量調整弁３３の上流側でバイパス配管３２に接続されていてもよい。
【００８３】
［第４実施形態］
次に、本発明の第４施形態を図５を参照して説明する。なお、本実施形態は、第１実施形態と一部の構成だけが相違するので、第１実施形態と同一の事項については説明を省略する。
【００８４】
図５を参照して、本実施形態の即時出湯装置２０Ｄでは、流量調整弁３３の代わりに、分配弁５１が流入側配管３０に組付けられ、該分配弁５１を介してバイパス配管３２が流入側配管３０に接続されている。
【００８５】
さらに詳細には、上記分配弁５１は、電動式の３方弁等により構成され、流入側配管３０の上流側部分に接続された１つの入口ポート５１ａと、該流入側配管３０の下流側部分と、バイパス配管３２とに各々接続された２つの出口ポート５１ｂ，５１ｃとを有する。
【００８６】
そして、該分配弁５１は、流入側配管３０に給湯配管６から供給される湯水（入口ポート５１ａに流入する湯水）を、２つの出口ポート５１ｂ，５１ｃから、貯湯タンク２１側の流入側配管３０とバイパス配管３２とに分配して流出させることが可能であると共に、その分配割合を可変的に制御することが可能である。この場合、出口ポート５１ｂ，５１ｃのいずれか一方を閉弁状態にする（ひいては、分配弁５１から下流側の流入側配管３０への湯水の流量、又は、分配弁５１からバイパス配管３２への湯水の流量をゼロにする）ことも可能である。
【００８７】
ここで、上記分配割合は、詳しくは、分配弁５１に流入する湯水の全体の流量のうち、貯湯タンク２１に分配される湯水の流量（すなわち、前記タンク側流量）と、バイパス配管３２に分配される湯水の流量（すなわち、前記バイパス側流量）との割合である。従って、該分配割合は、換言すれば、前記バイパス比に相当するものである。
【００８８】
本実施形態の即時出湯装置２０Ｄの構成は、以上説明した事項以外は、第１実施形態の即時出湯装置２０Ａと同じである。そして、本実施形態では、即時出湯コントローラ４５は、貯湯タンク２１内の湯水の加熱時には、分配弁５１を、バイパス配管３２側の出口ポート５１ｃが閉弁状態となる動作状態（換言すれば、分配弁５１の上流側の流入側配管３０からバイパス配管３２への湯水の流通を遮断する動作状態）に制御する。
【００８９】
また、即時出湯装置２０Ｄの出湯運転時には、即時出湯コントローラ４５は、第１実施形態と同様に目標バイパス比を決定し、該目標バイパス比に従って分配弁５１の分配割合を制御する。
【００９０】
かかる分配弁５１の動作制御以外の即時出湯装置２０Ｄの運転制御は、第１実施形態の即時出湯装置２０Ａと同じである。
【００９１】
以上説明した本実施形態の即時出湯装置２０Ｄでは、貯湯タンク２１内の湯水の加熱時に、前記した如く、分配弁５１を、バイパス配管３２側の出口ポート５１ｃが閉弁状態となる動作状態に制御するので、貯湯タンク２１から流出側配管３１を通って膨張水排出装置３７に至る流路が分配弁５１により遮断された状態となる。そして、この状態で、過圧逃し弁３７ｂの上流側の排出路３７ａの内部、及び流入側配管３０の内部の湯水（ヒータ２２により加熱されていない湯水）や、貯湯タンク２１内の上部寄り側よりも相対的に温度が低いものとなりやすい下部寄り側の湯水が、過圧逃し弁３７ｂに近いものから、膨張水として排出路３７ａから排出される。
【００９２】
従って、第１実施形態と同様に、貯湯タンク２１内の湯水の加熱時に、貯湯タンク２１内の上部寄りの部分の加熱された湯水が膨張水として排出されるのが防止されるため、貯湯タンク２１内の熱量の損失を極力抑制することができる。ひいては、貯湯タンク２１内の湯水を加熱を効率よく行うことができる。また、流出側配管３１内に残存する加熱後の湯水が膨張水として排出されるのも防止されるため、ヒータ２２により加熱された湯水に蓄熱された熱量の利用効率を高めることができる。
【００９３】
なお、本実施形態では、膨張水排出装置３７は、例えば、図５に３７（１）の参照符号を付した二点鎖線で例示するように、分配弁５１の上流側の流入側配管３０に接続されていてもよい。
【００９４】
また、本実施形態では、貯湯タンク２１の湯水の加熱時に、分配弁５１を、バイパス配管３２側の出口ポート５１ｃが閉弁状態となる動作状態に制御した。ただし、膨張水排出装置３７を、分配弁５１の下流側の流入側配管３０に接続している場合には、貯湯タンク２１の湯水の加熱時に、分配弁５１を、貯湯タンク２１側の出口ポート５１ｂが閉弁状態となる動作状態（換言すれば、分配弁５１の上流側の流入側配管３０から分配弁５１の下流側の流入側配管３０への湯水の流通を遮断する動作状態）に制御してもよい。
【００９５】
補足すると、膨張水排出装置３７を、分配弁５１の下流側の流入側配管３０に接続すると共に、貯湯タンク２１の湯水の加熱時に、該分配弁５１の貯湯タンク２１側の出口ポート５１ｂが閉弁状態となる動作状態に制御する実施形態では、分配弁５１は、そのバイパス配管３２側の出口ポート５１ｃの最小開度がゼロよりも大きい開度に保たれるように構成されていてもよい。このようにした場合には、仮に、分配弁５１のバイパス配管３２側の出口ポート５１ｃが最小開度に保持されるような不具合が発生しても、第１実施形態と同様に、貯湯タンク２１から流出側配管３１に流出する湯水と、流入側配管３０からバイパス配管３２を経由して流れる湯水とが混合部３１ａで混合された上で、その混合後の湯水が出湯栓１に供給されるので、貯湯タンク２１内の湯水の沸き上げ温度を高くしても、出湯栓１から出湯される湯水の温度を貯湯タンク２１内の湯水の温度よりも低い温度にすることができる。
【００９６】
［第５実施形態］
次に、本発明の第５施形態を図６を参照して説明する。なお、本実施形態は、第１実施形態と一部の構成だけが相違するので、第１実施形態と同一の事項については説明を省略する。
【００９７】
図６を参照して、本実施形態の即時出湯装置２０Ｅでは、流量調整弁３３の代わりに、混合弁５２が流出側配管３１に組付けられ、該混合弁５２を介してバイパス配管３２が流出側配管３１に接続されている。
【００９８】
さらに詳細には、上記混合弁５２は、電動式の３方弁等により構成され、流出側配管３１の上流側部分と、バイパス配管３２とに各々接続された２つの入口ポート５２ａ，５２ｂと、流出側配管３１の下流側部分に接続された１つのの出口ポート５２ｃとを有する。
【００９９】
そして、該混合弁５２は、貯湯タンク２１から供給される湯水（入口ポート５２ａに流入する湯水）と、バイパス配管３２から供給される湯水（入口ポート５２ｂに流入する湯水）とを混合した湯水を出口ポート５２ｃから下流側の流出側配管３１に（ひいては出湯栓１に）供給することが可能であると共に、その混合割合を可変的に制御することが可能である。この場合、入口ポート５２ａ，５２ｂのいずれか一方を閉弁状態にする（ひいては、貯湯タンク２１から混合弁５２に流れる湯水の流量、又は、バイパス配管３２から混合弁５２に流れる湯水の流量をゼロにする）ことも可能である。
【０１００】
ここで、上記混合割合は、詳しくは、混合弁５２で混合されて出湯栓１に供給される湯水の全体の流量のうち、貯湯タンク２１から混合弁５２に流入する湯水の流量（すなわち、前記タンク側流量）と、バイパス配管３２から混合弁５２に流入する湯水の流量（すなわち、前記バイパス側流量）との割合である。従って、該混合割合は、換言すれば、前記バイパス比に相当するものである。
【０１０１】
本実施形態の即時出湯装置２０Ｅの構成は、以上説明した事項以外は、第１実施形態の即時出湯装置２０Ａと同じである。そして、本実施形態では、即時出湯コントローラ４５は、貯湯タンク２１内の湯水の加熱時には、混合弁５２を、貯湯タンク２１側の入口ポート５２ａが閉弁状態となる動作状態（換言すれば、貯湯タンク２１から混合弁５２の下流側の流出側配管３１への湯水の流通を遮断する動作状態）と、バイパス配管３２側の入口ポート５２ｂが閉弁状態となる動作状態（換言すれば、バイパス配管３２から混合弁５２の下流側の流出側配管３１への湯水の流通を遮断する動作状態）とのうちのいずれか一方の動作状態に制御する。
【０１０２】
また、即時出湯装置２０Ｅの出湯運転時には、即時出湯コントローラ４５は、第１実施形態と同様に目標バイパス比を決定し、該目標バイパス比に従って混合弁５２の混合割合を制御する。
【０１０３】
かかる混合弁５２の動作制御以外の即時出湯装置２０Ｅの運転制御は、第１実施形態の即時出湯装置２０Ａと同じである。
【０１０４】
以上説明した本実施形態の即時出湯装置２０Ｅでは、貯湯タンク２１内の湯水の加熱時に、前記した如く、混合弁５２を、貯湯タンク２１側の入口ポート５２ａとバイパス配管３２側の入口ポート５２ｂとのうちの一方の入口ポート５２ａ又は５２ｂが閉弁状態となる動作状態に制御するので、貯湯タンク２１から流出側配管３１を通って膨張水排出装置３７に至る流路が混合弁５２により遮断された状態となる。そして、この状態で、主に、過圧逃し弁３７ｂの上流側の排出路３７ａ、流入側配管３０、及びバイパス配管３２に残存する湯水（ヒータ２２により加熱されていない湯水）や、貯湯タンク２１内の上部寄り側よりも相対的に温度が低いものとなりやすい下部寄り側の湯水が、過圧逃し弁３７ｂに近いものから、膨張水として排出路３７ａから排出される。
【０１０５】
従って、第１実施形態と同様に、貯湯タンク２１内の湯水の加熱時に、膨張水の排出による貯湯タンク２１内の熱量の損失を極力抑制することができる。ひいては、貯湯タンク２１内の湯水の加熱を効率よく行うことができる。
【０１０６】
また、貯湯タンク２１内の湯水の加熱時に、混合弁５２のバイパス配管３２側の入口ポート５２ｂを閉弁状態にした場合には、流出側配管３１に残存する湯水（加熱後の湯水）が膨張水として排出されるのも防止されるため、ヒータ２２により加熱された湯水に蓄熱された熱量の利用効率を高めることができる。
【０１０７】
なお、本実施形態では、膨張水排出装置３７は、例えば、図６に３７（１）の参照符号を付した二点鎖線で例示するように、流入側配管３０の途中部３０ａ（バイパス配管３２との接続部）よりも上流側の部分に接続されていてもよい。あるいは、膨張水排出装置３７は、流入側配管３０の該途中部３０ａに接続されていてもよい。あるいは、膨張水排出装置３７は、例えば、図６に３７（２）の参照符号を付した二点鎖線で例示するように、バイパス配管３２に接続されていてもよい。
【０１０８】
また、膨張水排出装置３７を、貯湯タンク２１の湯水の加熱時に、混合弁５２の貯湯タンク２１側の入口ポート５２ａが閉弁状態となる動作状態に制御する実施形態では、混合弁５２は、そのバイパス配管３２側の入口ポート５２ｂの最小開度がゼロよりも大きい開度に保たれるように構成されていてもよい。このようにした場合には、仮に、混合弁５２のバイパス配管３２側の入口ポート５２ｂが最小開度に保持されるような不具合が発生しても、貯湯タンク２１から流出側配管３１に流出する湯水と、流入側配管３０からバイパス配管３２を経由して流れる湯水とが混合弁５２で混合された上で、その混合後の湯水が出湯栓１に供給されるので、第１実施形態と同様に、貯湯タンク２１内の湯水の沸き上げ温度を高くしても、出湯栓１から出湯される湯水の温度を貯湯タンク２１内の湯水の温度よりも低い温度にすることができる。
【０１０９】
補足すると、以上説明した各実施形態では、ヒータ２２による貯湯タンク２１内の湯水の加熱を、出湯栓１への通水が無い状態で行うようにした。ただし、出湯栓１への通水が無い状態に限らず、出湯栓１の出湯を行っている状態でも、ヒータ２２による貯湯タンク２１内の湯水の加熱を行ってもよい。
【０１１０】
この場合、給湯器３から出湯栓１に、給湯目標温度に一致もしくはほぼ一致する温度の湯を供給し得る状態では、前記第１実施形態又は第２実施形態における流量調整３３を閉弁状態に制御し、あるいは、前記第４実施形態における分配弁５１の貯湯タンク２１側の出口ポート５１ｂを閉弁状態に制御し、あるいは、前記第５実施形態における混合弁５２の貯湯タンク２１側の入口ポート５２ａを閉弁状態に制御した状態（換言すれば、貯湯タンク２１への湯水の流入を遮断した状態）で、貯湯タンク２１内の湯水を加熱することが望ましい。
【符号の説明】
【０１１１】
１…出湯栓、４…熱源機、６…給湯配管、２０Ａ，２０Ｂ，２０Ｃ，２０Ｄ，２０Ｅ…即時出湯装置、２１…貯湯タンク、２２…ヒータ（加熱装置）、３０…流入側配管、３０ｃ…流入側配管の開口端部、３１…流出側配管、３１ｃ…流出側配管の開口端部、３２…バイパス配管、３３…流量調整弁（バイパス比調整弁）、３７…膨張水排出装置、３７ａ…排出路、５１…分配弁（バイパス比調整弁）、５２…混合弁（バイパス比調整弁）、４５…コントローラ（制御装置）。
【図１】
2019138492.tif 000003
【図２】
2019138492.tif 000004
【図３】
2019138492.tif 000005
【図４】
2019138492.tif 000006
【図５】
2019138492.tif 000007
【図６】
2019138492.tif 000008